(57)【特許請求の範囲】
【請求項１】
１枚の台紙で折り曲げ形成される外箱と、この外箱内に収められるとともに１枚の台紙で折り曲げ形成される内箱と、を備えて構成され、内部に複数の物品が収納される収納箱であって、
前記内箱には、当該内箱を構成する基板部上の一部に前記物品のうち少なくとも１つを収納可能な箱状収納体部が設けられ、
この箱状収納体部の隣接位置には、前記物品のうち別の物品を収納可能な物品収納部が設けられ、
前記箱状収納体部は、前記外箱の側板に当接する外側板部と、この外側板部に連続し前記基板部と平行となった平面部と、この平面部に連続し前記基板部と直交となった内側板とにより角筒状に形成され、
前記平面部には、前記少なくとも１つの物品を収納可能な収納穴が設けられ、
前記箱状収納体部の前記角筒状の一開口端部は、前記物品収納部側に向いているとともに、その物品収納部との境界部とされ、
前記一開口端部には、前記箱状収納体部を起立するとともに当該箱状収納体部の変形を防止する変形防止部材が設けられ、
この変形防止部材は、前記平面部に連設されるとともに先端側が前記箱状収納体部の前記角筒状の内部に向けて配置されたフラップであり、
このフラップの基端から先端までの長さは、前記基板部および前記平面部の間の寸法よりも長く形成されている
ことを特徴とする収納箱。
【請求項２】
請求項１に記載の収納箱において、
前記箱状収納体部は、互いに間隔をあけて並列する状態で２つ設けられていることを特徴とする収納箱。
【請求項３】
請求項２に記載の収納箱において、
前記外箱は蓋体を有し、
前記箱状収納体部の前記外側板部には、前記平面部に略交差して突出する突出片が設けられ、
この突出片の先端から前記基板部までの高さは、前記外箱の側板の高さを超えない寸法に形成されていることを特徴とする収納箱。
【請求項４】
請求項２または請求項３に記載の収納箱において、
前記２つの箱状収納体部の前記収納穴は、それぞれの角筒状の長手方向に沿って２箇所ずつ形成されていることを特徴とする収納箱。
【請求項５】
請求項１ないし請求項４のいずれかに記載の収納箱において、
前記物品収納部は、前記内箱に設けられていることを特徴とする収納箱。
【発明の詳細な説明】
【０００１】
【発明の属する技術分野】
本発明は、収納箱に係り、さらに詳しくは、医薬品を保護する瓶等のバイアルや、薬液の一定量を封じ込んだアンプル、医薬品以外の物品等の収納物品とともに、それらの解説書や注意書の書類を収納する収納箱に関する。
【０００２】
【背景技術】
医薬品を保護する瓶等のバイアルや、薬液の一定量を封じ込んだアンプル等は、収容部の破損を防止するために、さらに外装ケースとしての収納箱に収納された状態で取り扱われることが多い。
そして、医薬品関連の収納物品であれば、その他に、詳細な解説書、取扱説明書、注意書等の書類を、薬事法等の法律に基づき必ず備えておく必要があり、これらの書類も収納物品とともに、収納箱に入れられていることが多い。
【０００３】
【発明が解決しようとする課題】
ところで、解説書、取扱説明書、注意書等の書類を、収納箱に収納物品とともに収めようとすると、それらの書類を収納箱内に収まる大きさに折り畳まなければならない場合が多い。そのため、折り畳んだ書類は分厚くなり、その書類を収納箱にバイアル等の収納物品とともに収納すると、書類に押されて収納箱が変形するという問題が生じる。
【０００４】
本発明の目的は、収納物品とともにその収納物品の解説書等の扁平状書類を収納しても変形することのない収納箱を提供することにある。
【０００５】
【課題を解決するための手段】
上記目的を達成するため、本発明の収納箱は、１枚の台紙で折り曲げ形成される外箱と、この外箱内に収められるとともに１枚の台紙で折り曲げ形成される内箱と、を備えて構成され、内部に複数の物品が収納される収納箱であって、前記内箱には、当該内箱を構成する基板部上の一部に前記物品のうち少なくとも１つを収納可能な箱状収納体部が設けられ、この箱状収納体部の隣接位置には、前記物品のうち別の物品を収納可能な物品収納部が設けられ、前記箱状収納体部は、前記外箱の側板に当接する外側板部と、この外側板部に連続し前記基板部と平行となった平面部と、この平面部に連続し前記基板部と直交となった内側板とにより角筒状に形成され、前記平面部には、前記少なくとも１つの物品を収納可能な収納穴が設けられ、前記箱状収納体部の前記角筒状の一開口端部は、前記物品収納部側に向いているとともに、その物品収納部との境界部とされ、前記一開口端部には、前記箱状収納体部を起立するとともに当該箱状収納体部の変形を防止する変形防止部材が設けられ、この変形防止部材は、前記平面部に連設されるとともに先端側が前記箱状収納体部の前記角筒状の内部に向けて配置されたフラップであり、このフラップの基端から先端までの長さは、前記基板部および前記平面部の間の寸法よりも長く形成されていることを特徴とするものである。
【０００６】
本発明によれば、箱状収納体部内に物品を収納したとき、箱状収納体部内に入り込んだ変形防止部材の先端が、収納物品と接触することにより、それ以上は内側へ入り込めないようになるので、変形防止部材は、斜めの状態を維持することができ、変形を防止することができる。従って、箱状収納体部および物品収納部に物品が収納され、さらに、取扱説明書等の扁平状とした書類を箱状収納体部に載せて収納しても、箱状収納体部の変形を防止することができ、その結果、外箱も内箱で補強されることになり、収納箱全体の変形防止を図ることができる。
【０００７】
以上の発明において、収納箱の形状は四角形が好ましいが、例えば、三角形や五角形等、他の多角形でもよく、あるいは、丸形、楕円形等でもよい。要は、内箱が箱状収納体部を有し、その箱状収納体部の一開口端部に変形防止部材が設けられていればよい。また、収納箱内に収納される物品は、バイアル、アンプル等の医薬品や、例えば、歯ブラシ、歯磨き等の物品や、その他の物品でもよい。
【０００８】
請求項２に記載の発明は、請求項１に記載の収納箱において、前記箱状収納体部は、互いに間隔をあけて並列する状態で２つ設けられていることを特徴とするものである。
本発明によれば、並列する２つの箱状収納体部にそれぞれ収納穴が設けられているので、物品の両端を支持することができ、長い物品を安定して支持することができる。
【０００９】
請求項３に記載の発明は、請求項２に記載の収納箱において、前記外箱は蓋体を有し、前記箱状収納体部の前記外側板部には、前記平面部に略交差して突出する突出片が設けられ、この突出片の先端から前記基板部までの高さは、前記外箱の側板の高さを超えない寸法に形成されていることを特徴とするものである。
【００１０】
本発明によれば、内箱の突出片が外箱の側板の高さを超えない高さ寸法となっているので、外箱の蓋体を閉じるとき、突出片でストップされ、それ以上押し込まれることがなく、蓋体を制限なく閉じることによる外箱および内箱の変形を防止することができる。また、蓋体を閉じたとき、その蓋体と内箱の平面部との間に、突出片の突出分の空間が形成されるので、その空間を、取扱説明書等の扁平状の書類を収容するための収容空間とすることができる。従って、扁平状の書類を収容することにより収容箱が膨れたりすることがなく、変形を防止することができる。
【００１１】
請求項４に記載の発明は、請求項２または請求項３に記載の収納箱において、前記２つの箱状収納体部の前記収納穴は、それぞれの角筒状の長手方向に沿って２箇所ずつ形成されていることを特徴とするものである。
本発明によれば、箱状収納体部内に２個ずつの物品を収納することができるので、大きさを違えたり、種類を違えたりすることで、仕様の異なる物品の組合せからなるセット品として用いることができる。
【００１２】
請求項５に記載の発明は、請求項１ないし請求項４のいずれかに記載の収納箱において、前記物品収納部は、前記内箱に設けられていることを特徴とするものである。
本発明によれば、内箱に物品を収納した後でその内箱を外箱に組み込むことができるので、物品収納部が内箱と別個に設けられている場合と比べて、収納工程が少なくてすむ。
【００１３】
【発明の実施の形態】
以下、本発明に係る収納箱の一実施形態を図面に基づいて説明する。
図１には、本実施形態の収納箱１の全体が示されている。
収納箱１は、外箱１０と、この外箱１０内に組み込まれた内箱４０とを備えて構成されている。外箱１０は、１枚の台紙１１（図３参照）を折り曲げ、接着して形成され、底板部１６および蓋体２３を有して四角形状に形成されている。
また、内箱４０も、１枚の台紙４０Ａ（図５参照）を折り曲げ、接着して形成されている。そして、このような収納箱１の内部には、内箱４０に収納されて、例えば、１つの物品である２本のバイアル１００，１０１、および別の物品である１個のスプレーヘッド１０２とが収納されている。
【００１４】
外箱１０は、図２に示すように、四角形を形作る４面、つまり前板部１２、第１側板部１３、後板部１４および第２側板部１５と、底板部１６と、第１側板部１３および第２側板部１５の上端にそれぞれ連続する第１舌片２１、第２舌片２２と、後板部１４に連続して設けられた蓋体２３とを有して形成され、蓋体２３の先端には耳片２４が設けられている。
【００１５】
このような外箱１０は、図３に示すような展開図を基に、１枚の外箱用台紙１１を折り曲げ、接着して製作されている。なお、図３は、外箱１０の底面から見た展開図を示す。
外箱用台紙１１は、やや厚手の紙片を用いて形成されており、この外箱用台紙１１には、図３の左側から順に、貼着用舌片２５、この貼着用舌片２５の隣に縦折線２６を挟んで前記前板部１２、この前板部１２の隣に縦折線２６を挟んで第１側板部１３、この第１側板部１３の隣に縦折線２６を挟んで後板部１４、この後板部１４の隣に縦折線２６を挟んで第２側板部１５が、それぞれ連続して設けられている。そして、これらの前板部１２、第１側板部１３、後板部１４および第２側板部１５は、同じ大きさの長方形状となっており、また、前板部１２等の幅寸法（組んだときの高さ寸法）はＨ１となっている。
【００１６】
前記貼着用舌片２５には、所定の接着剤が塗布されており、縦折線２６に沿って、前板部１２、第１側板部１３、後板部１４および第２側板部１５を折り曲げた後、貼着用舌片２５の接着剤塗布面を、第２側板部１５の内側面（図３中、紙面の背面側）に押し付け、接着するようになっている。また、前板部１２の上部には、舌形状の指引掛け部２７を形作る切れ目２９が形成されている。この指引掛け部２７の内面（図３中、紙面の背面側）には、所定の接着剤が塗布され、前記耳片２４の一部と接着可能とされている。
【００１７】
前板部１２の下部側には横折線３０を挟んで第１底板片１７が設けられ、この第１底板片１７において横折線３０の反対側端縁、かつ、長さ方向ほぼ中央には、三角形状の切欠き１７Ａが形成されている。そして、この切欠き１７Ａのために、第１底板片１７は、二股を有する形状、例えばショートパンツ形状となっている。この第１底板片１７には、三角形状の切り欠き１７Ａの１辺を前板部１２の下端に向かって延長した斜め折線３１を挟んで、下方に貼着用舌片部１７Ｂが設けられている。また、この貼着用舌片部１７Ｂの上面（図３中、紙面背面側）には、所定の接着剤が塗布されるようになっている。
【００１８】
第１側板部１３の下方には、横折線３０を挟んで第２底板片１８が設けられている。この第２底板片１８は、第１側板部１３の長さと同じに形成された一辺を底辺とする逆台形状に形成され、図３の状態から紙面向こう側に折り曲げたとき、第１底板辺１７の貼着用舌片部１７Ｂの接着剤塗布面上に重ねられるようになっている。
第１側板部１３の上方には、横折線３２を挟んで、前記第１舌辺２１が設けられている。この第１舌辺２１の一端の長さは、第１側板部１３の長さとほぼ同じに形成されており、幅寸法は、第１側板部１３の幅寸法とほぼ同じに形成されている。また、第１舌辺２１と蓋体２３との間には、横折線３２に至る切込み３３が設けられている。
【００１９】
後板部１４の下方には、横折線３０を挟んで第３底板片１９が設けられている。この第３底板片１９は、前記第１底板片１７と同じ形状、同じ大きさに形成されており、切欠き１９Ａおよび貼着用舌片部１９Ｂを有している。そして、この貼着用舌片部１９Ｂの上面（図３中、紙面背面側）にも、所定の接着剤が塗布されるようになっている。
後板部１４の上方には、横折線３２を挟んで前記蓋体２３が設けられている。この蓋体２３は、一辺の長さが後板部１４の長さと同じとされ、かつ、この一辺と直交する２辺の長さが第１、第２側板部１３，１５の長さとほぼ同じに形成されている。また、蓋体２３の先端には、横折線３４を挟んで前記耳片２４が設けられている。
【００２０】
第２側板部１５の下方には、第３底板片１９を挟んで前記第２底板片１８と対象形となった第４底板片２０が設けられ、第２側板部１５の上方には、蓋体２３を挟んで第１舌片２１と対象形となった第２舌片２２が設けられている。この第２舌辺２２と蓋体２３との間にも、横折線３２に至る切込み３３が設けられている。
そして、ここにおいて、前記第１〜第４底板片１７〜２０により、前記底板部１６（図２参照）が構成されている。
【００２１】
次に、図３に示す１枚の台紙１１から、図２に示すような外箱１０に組み立てる手順を説明する。
まず、図３の状態の台紙１１において、貼着用舌片部２５、第１底板片１７および第３底板片１９の貼着用舌片部１７Ｂ、１９Ｂの接着剤塗布面に所定の接着剤を塗布しておく。
この後、横折線３０に沿って、第１〜第４底板部１７〜２０を、図３中紙面向こう側に折り曲げるとともに、縦折線２６に沿って、貼着用舌片２５、前板部１２、第１側板部１３、後板部１４、および第２側板部１５を、紙面向こう側に折り曲げる。そして、前板部１２の貼着用舌片部１７Ｂの上に第２底板片１８を重ね合わせるとともに、後板部１４の貼着用舌片部１９Ｂの上に第４底板部２０を重ね合わせて、それぞれを接着する。それと併行して、貼着用舌片部２５を第２側板部１５の内側面に押し当て、接着する。
【００２２】
外箱１０の組立が終了したら、図１に示すように、所定のバイアル１００，１０１、取扱説明書、注意書等の扁平状書類を収納した前記内箱４０を、外箱１０内部に収納し、第１、第２の舌片２１，２２および蓋体２３を内側に折り曲げ、蓋体２３の耳片２４を前板部１２と第１、第２の舌片２１，２２の一端との隙間に差し込み、予め接着剤が塗布された指引っ掛け部２７と耳片２４とを接着し、封印する。
なお、外箱１０の折り曲げ、接着等の工程は、機械で自動的に行ってもよく、あるいは、作業者が手作業で行ってもよい。
【００２３】
前記内箱４０は、図４に示すように、当該内箱４０の底部となる四角形状の基板部４１を有し、この基板部４１の対向する２つの端縁には、第１外側板４２、第２外側板４３が立上げられている。基板部４１上、かつ、第１、第２外側板４２，４３の内側一部には、前記２本のバイアル１００，１０１を収納する箱状収納体部４４が設けられ、基板部４１上の残りの部位には、前記スプレーヘッド１０２等の備品を収納する物品収納部４５が設けられている。
【００２４】
箱状収納体部４４は、第１の角筒部４６と、第２の角筒部４７とを備えて構成され、これらの角筒部４６，４７は、互いに間隔をあけて並列に設けられるとともに、基板部４１の第１、第２外側板４２，４３と直交する一方の端縁から、他方の端縁に向かう途中までの長さに形成されている。
【００２５】
第１の角筒部４６は、前記第１外側板４２と、この第１外側板４２の上端に連続するとともに、その上端から第２の角筒部４７側に向けてほぼ直角に折り曲げられる平面部としての上面部４８と、この上面部４８に連続するとともに、そこから基板部４１に向けてほぼ直角に折り曲げられる内側板４９と、この内側板４９に連続するとともに、そこから基板部４１に沿ってほぼ直角に折り曲げられ、基板部４１に貼着される貼着部５０とを有して形成されている。
【００２６】
第２の角筒部４７は、前記第２外側板４３と、この第２外側板４３の上端に連続するとともに、その上端から第１の角筒部４６側に向けてほぼ直角に折り曲げられる平面部としての上面部５１と、この上面部５１に連続するとともに、そこから基板部４１に向けてほぼ直角に折り曲げられる内側板５２と、この内側板５２に連続するとともに、そこから基板部４１に沿ってほぼ直角に折り曲げられ、基板部４１に貼着される貼着部５３とを有して形成されている。
【００２７】
第１、第２の角筒部４６，４７には、収納物品である大きさが異なる前記２本のバイアル１００，１０１を収納することができるように、それぞれ２個ずつの収納穴５５，５６があけられている。
すなわち、第１の角筒部４６には、大きさが異なる第１、第２バイアル１００，１０１の本体を受ける本体受穴５５Ａ，５６Ａがあけられており、また、第２の角筒部４７には、それぞれのバイアル１００，１０１の首部を受ける首受穴５５Ｂ，５６Ｂがあけられている。これらの本体受穴５５Ａ，５６Ａ、および首受穴５５Ｂ，５６Ｂは、大きさが異なる２本のバイアル１００，１０１を、それぞれ、がたつかない程度に支持できる大きさにあけられている。そして、本体受穴５５Ａと首受穴５５Ｂ、および本体受穴５６Ａと首受穴５６Ｂとで、前記収納穴５５，５６が構成されている。
【００２８】
第１、第２外側板４２，４３の上端縁一部には、各角筒部４６，４７の上面部４８，５１から所定寸法だけ上方に突出する突出片５７，５８が設けられている。この突出片５７，５８の上端から基板部４１の底面までの高さ寸法はｈ１となっており、この高さ寸法ｈ１は、前記外箱の前板部１２等の高さ寸法Ｈ１を超えない寸法に形成されている。
【００２９】
従って、内箱４０を外箱１０内に組み込み、第１舌片２１、第２舌片２２および蓋体２３を折り曲げて閉じたとき、蓋体２３等は突出片５７，５８でストップされ、それ以上は押し込めないようになっている。また、蓋体２３を閉じたとき、第１舌片２１、第２舌片２２および蓋体２３と、各角筒部４６，４７の上面部４８，５１との間に空間が形成され、この空間は、取扱説明書、注意書き等の扁平な書類を収容することができる収容空間Ｓ（図１参照）となっている。
【００３０】
前記物品収納部４５は、基板部４１において、前記箱状収納体部４４を構成する第１、第２の角筒部４６，４７に隣接して設けられ、基板部４１の対向する第１、第２外側板４２，４３と、２つの角筒部４６，４７の一開口側端部と、内箱４０が外箱１０内に組み込まれたとき、外箱１０の前記前板部１２とで形成される空間により形成されている。つまり、２つの角筒部４６，４７の一開口側端部が、箱状収納体部４４と物品収納部４５との境界となっている。
【００３１】
このような箱状収納体部４４、つまり第１、第２の角筒部４６，４７と物品収納部４５との境界には、変形防止部材であるフラップ６０，６１が設けられている。これらのフラップ６０，６１は、その基端が各角筒部４６，４７の、それぞれの上面部４８，５１に連続するとともに、先端が上面部４８，５１から各角筒部４６，４７の内側に入り込んで設けられ、フラップ６０，６１は全体として斜めに設けられている。また、これらのフラップ６０，６１は、長さ寸法がｈ２とされ、この長さ寸法ｈ２は、各角筒部４６，４７の高さ寸法ｈ３より所定寸法大きく形成されているが、斜めに配置されるので、角筒部４６，４７の高さはｈ３寸法に維持され、フラップ６０近傍が盛り上がることがない。
【００３２】
以上のような内箱４０は、図５に示す展開図を基に１枚の内箱用台紙４０Ａを、折り曲げ、接着して製作される。なお、図５は、内箱４０の底面から見た展開図を示す。
内箱用台紙４０Ａは、前記外箱用台紙１１と同じ紙片を用いほぼ長方形状に形成されている。この台紙４０Ａの中央部には、２本のバイアル１００，１０１およびスプレーヘッド１０２を、余裕をもって並べることができる広さとなったほぼ四角形の前記基板部４１が設けられている。この基板部４１の両端には、それぞれ縦折線６２を挟んで、左右対称に、右側に第１外側板４２、左側に第２外側板４３が設けられ、第１外側板４２の外側には、縦折線６３を挟んで上面部４８、上面部４８の外側には、縦折線６４を挟んで内側板４９、さらに内側板４９の外側には、縦折線６５を挟んで貼着片５０が設けられている。
【００３３】
また、第２外側板４３の外側には、縦折線６３を挟んで上面部５１、上面部５１の外側には、縦折線６４を挟んで内側板５２、さらに内側板５２の外側には、縦折線６５を挟んで貼着部５３が設けられている。これら貼着部５０，５３の内面（図５中、紙面背面側）には、所定の接着剤が塗布されており、内箱４０を組み立てたとき、基板部４１の上面（図５中、紙面背面側）、かつ、長手方向ほぼ中央位置に、貼着部５０，５３を押し付け、接着するようになっている。
【００３４】
第１外側板４２と上面部４８、および第２外側板４３と上面部５１との間の縦折線６３の途中には、舌状の切込み６６が形成され、縦折線６２に沿って第１外側板４２と、第２外側板４３とを折り返し、さらに上面部４８，５１を縦折線６３に沿って折り返したとき、切込み６６に沿った突出片５７，５８が形成されることになる。
また、上面部４８と内側板４９とには、大きなバイアル１００の本体部を受ける本体受穴５５Ａと、小さなバイアル１０１の本体部を受ける本体受穴５６Ａとがあけられ、上面部５１と内側板５２とには、大きなバイアル１００の首部を受ける首受穴５５Ｂと、小さなバイアル１０１の首部を受ける首受穴５６Ｂとがあけられている。
【００３５】
各上面部４８，５１の下方には、それぞれ、横折線６７を挟んで前記フラップ６０，６１が設けられている。これらのフラップ６０，６１は、上面部４８，５１の幅よりわずかに狭い幅に形成されているとともに、第１、２外側板４２，４３に沿った部位には切り込み６８が形成されており、これにより、各角筒部４６，４７内に押し込むことができるようになっている。
【００３６】
フラップ６０，６１の横折線６７からの突出寸法（長さ寸法）はｈ２となっており、この突出寸法ｈ２は、各外側板４２，４３および内側板４９，５２の幅寸法（組んだときの高さ寸法）ｈ３より大きくなっている。
なお、各縦折線６２，６３，６５および横折線６７には、折り加工を容易とするように、図示しないが適宜切り込みが設けられている。
【００３７】
次に、図５に示すような１枚の台紙４０Ａから、図４に示すような内箱４０に組み立てる手順を説明する。
まず、図５に示す台紙４０Ａから、縦折線６２に沿って上面部４８，５１を基板部４１上面側（図５の紙面向こう側）に折り返し、図６に示す状態とする。なお、この図６は、底部を内面側から見た図である。
折り返す前に、貼着部５０，５３の内面には所定の接着剤が塗布されており、両側の上面部４８，５１を折り返すとともに、貼着部５０，５３を基板部４１の長さ方向ほぼ中央部上面に押し付け、接着させる。このとき、突出片５７，５８は、切り込み６６から離れて第１、２外側板４２，４３に連続した状態で水平になっている。
【００３８】
図６の状態から、基板部４１の両側の第１外側板４２および第２外側板４３を、図４中、仮想線で示すように外部から内側に押して立ち上げ、角筒部４６，４７を形成し、次いで、フラップ６０，６１の先端を角筒部４６，４７内にフラップ６０，６１が斜めとなるように押し込み、図４に示すような内箱４０を組み立てる。
【００３９】
そして、組み立てた内箱４０に、図７に示すように、バイアル１００，１０１およびスプレーヘッド１０２を収納し、さらに、このような内箱４０を外箱１０内に組み込んで、図１に示す収納箱１とする。その後、外箱１０の指引っ掛け部２７の内面に接着剤を塗布するとともに、第１舌片２１、第２舌片２２および蓋体２３を内側に折り込み、蓋体２３の耳片２４を、第１舌片２１、第２舌片２２および前板部２１で形成される隙間に差し込み、耳片２４の一部を指引っ掛け部２７と接着、固定する。
なお、内箱４０の折り曲げ、接着等の工程は、機械で自動的に行ってもよく、あるいは、作業者が手作業で行ってもよい。
【００４０】
以上のような収納箱１を使用するには、指引っ掛け部２７に例えば人差し指を当て、その指を箱１内に差し込み、指引っ掛け部２７を切れ目２９に沿って破り、蓋体２３の耳片２４を持ち上げることにより、蓋体２３を開き、収納箱１の内部から所望のものを取り出せばよい。
【００４１】
以上のような本実施形態によれば、次のような効果がある。
(1) 第１、第２の角筒部４６，４７の収納穴５５，５６にバイアル１００，１０１を収納したとき、先端が各角筒部４６，４７内に入り込んだフラップ６０，６１が、バイアル１００と接触することにより、それ以上は各角筒部４６，４７の内側へ入り込めないようになるので、フラップ６０，６１は、斜めの状態を維持することができ、各角筒部４６，４７の変形を防止できる。従って、角筒部４６，４７および物品収納部４５に物品が収納され、さらに、取扱説明書等の扁平状とした書類を角筒部４６，４７の上面部４８，５１に載せて収納しても、角筒部４６，４７が変形するおそれは少なく、その結果、外箱１０も内箱４０で補強されることになり、収納箱１全体の変形防止を図ることができる。
【００４２】
(2) 並列する２つの角筒部４６，４７にそれぞれ収納穴５５，５６が設けられているので、バイアル１００，１０１の両端を支持することができ、長い物品を安定して支持することができる。
【００４３】
(3) 内箱４０の突出片５７，５８が外箱１０の第１、第２側板部１３，１５の高さＨ１を超えない高さ寸法ｈ１となっているので、外箱１０の蓋体２３を閉じるとき、突出片５７，５８でストップされ、それ以上押し込まれることがない。従って、蓋体２３を制限なく閉じることによる外箱１０および内箱４０の変形を防止することができる。
(4) 蓋体２３を閉じたとき、その蓋体２３と内箱４０の上面部４８，５１との間に、突出片５７，５８の突出分の空間が形成され、その空間が、取扱説明書等の扁平状の書類を収容するための収容空間Ｓとなっているので、扁平状の書類を収容することにより収容箱が膨れたりすることがなく、変形を防止することができる。
【００４４】
(5) 第１、第２の角筒部４６，４７で２個のバイアル１００，１０１を収納するとともに、物品収納部４５で１個のスプレーヘッド１０２を収納することができるので、バイアルの大きさを違えたり、種類を違えたりすることで、仕様の異なる物品の組合せからなるセット品として用いることができる。
(6) 内箱４０にバイアル１００，１０１を収納するとともに、スプレーヘッド１０２を収納した後で、その内箱４０を外箱１０に組み込むことができるので、収納工程が少なくてすむ。
【００４５】
なお、本発明は、上述した実施形態の他に、次のような変形・応用が可能である。
例えば、前記実施形態では、内箱４０の箱状収納体部４４には、大きさの異なる２つのバイアル１００，１０１を収納可能としたが、大きさの同じものを収納できるようにしてもよく、また、アンプルを２本収納できるようにしてもよい。さらに、大きさの異なるものあるいは同じものを、２つ以上、例えば３つ収納できるようにしてもよい。
【００４７】
さらに、内箱４０のそれぞれの角筒部４６，４７には、１個ずつの突出片５７，５８が設けられているが、これらの突出片５７，５８を、角筒部４６，４７に例えば、２個づつ設けてもよい。
また、前記実施形態では、箱状収納体部４４と物品収納部４５とを内箱４０の基板部４１に設けたが、これに限らない。内箱４０に箱状収納体部４４のみを設けるとともに、内箱４０を外箱１０の例えば前板部１２から所定距離離して設け、内箱４０の角筒部４６，４７の一開口側端部と、外箱１０の前板部１２とで形成される空間を物品収納部４５としてもよい。
【００４８】
また、前記実施形態では、収納箱１には、バイアル１００，１０１、スプレーヘッド１０２等、医薬品を収納するようになっているが、これに限らない。本実施形態の収納箱１は、他の用途、例えば、箱状収納体部４４に、歯ブラシと歯磨きを収納し、物品収納部４５内部に石鹸を入れた石鹸ケースを収納し、携帯用の洗顔セットとして使用してもよい。
【００４９】
【発明の効果】
本発明の収納箱によれば、箱状収納体部内に物品を収納したとき、箱状収納体部内に入り込んだ変形防止部材の先端が、収納物品と接触することにより、それ以上は内側へ入り込めないようになるので、変形防止部材は、斜めの状態を維持することができ、変形を防止することができる。従って、箱状収納体部および物品収納部に物品が収納され、さらに、取扱説明書等の扁平状とした書類を箱状収納体部に載せて収納しても、箱状収納体部の変形を防止することができ、その結果、外箱も内箱で補強されることになり、収納箱全体の変形防止を図ることができる。
【図面の簡単な説明】
【図１】本発明の収納箱の一実施形態を示す外観斜視図である。
【図２】本実施形態の外箱を示す外観斜視図である。
【図３】図２の外箱の展開図である。
【図４】本実施形態の内箱を示す外観斜視図である。
【図５】図４の内箱の展開図である。
【図６】図５の状態からの組立て途中の状態を示す斜視図である。
【図７】本実施形態の内箱に所定の物品を収納した状態を示す斜視図である。
【符号の説明】
１    収納箱
１０  収納箱を構成する外箱
１１  外箱用台紙
２３  蓋体
４０  収納箱を構成する内箱
４１  基板部
４４  箱状収納体部
４５  物品収納部
４６  第１の角筒部
４７  第２の角筒部
４８，５１  平面部である上面部
５５  収納穴
５６  収納穴
５７，５８  突出片
６０，６１  変形防止部材であるフラップ
１００，１０１  物品であるバイアル
１０２  別の物品であるスプレーヘッド
Ｈ１  外箱の高さ寸法
ｈ１  内箱の基板部から突出片上端までの高さ寸法
ｈ２  内箱のフラップの高さ寸法
ｈ３  内箱の第１、第２外側板の高さ寸法
【図１】
0004063521.tif 000002
【図２】
0004063521.tif 000003
【図３】
0004063521.tif 000004
【図４】
0004063521.tif 000005
【図５】
0004063521.tif 000006
【図６】
0004063521.tif 000007
【図７】
0004063521.tif 000008